(57)【要約】【課題】ＢＩＯＳ設定作業に不慣れなユーザであっても、シリアル接続された起動デバイスを簡単に切替えることができる電子機器およびプログラムを提供する。【解決手段】ＨＤＤ切替スイッチ１０がオンであり、チップセット６の入力信号が１である場合に、ＰＯＳ端末１００はＨＤポート０に接続されたＨＤＤ９ａを起動デバイスとして設定し、ＨＤＤ９ａからＯＳプログラムを読み込んでＯＳを起動する。一方、ＨＤＤ切替スイッチ１０がオフでありチップセット６の入力信号が０である場合に、ＰＯＳ端末１００はＨＤポート１に接続されたＨＤＤ９ｂを起動デバイスとして設定し、ＨＤＤ９ｂからＯＳプログラムを読み込んでＯＳを起動する。これにより、ＢＩＯＳ設定画面での設定処理を行わずともＯＳ起動時に読み込むＨＤＤを簡単に切替えることができる。【選択図】図３
2011133978.tif 000002
【特許請求の範囲】
【請求項１】
複数の記憶装置と、
前記記憶装置のそれぞれをシリアル接続する複数のポートと、
前記ポートにそれぞれ対応する複数の状態を切替える切替スイッチと、
前記切替スイッチの状態を検出する検出手段と、
前記検出手段が検出した前記切替スイッチの状態に応じて、前記複数のポートのうちいずれか１つを選択して、選択した前記ポートに接続された１つの前記記憶装置を起動デバイスとして設定する起動デバイス設定手段と、
を備えたことを特徴とする電子機器。
【請求項２】
前記複数のポートから前記各ポートに対応する前記記憶装置を読み込む順番を記憶する記憶手段をさらに備え、
前記起動デバイス設定手段は、前記記憶手段が記憶する前記順番と、前記検出手段が検出した前記切替スイッチの状態とに応じて、前記複数のポートのうちいずれか１つを選択して、選択した前記ポートに接続された１つの前記記憶装置を前記起動デバイスとして設定すること、
を特徴とする請求項１に記載の電子機器。
【請求項３】
前記切替スイッチは、第１状態と第２状態とを切替えて、
前記検出手段は、前記切替スイッチの前記第１状態または前記第２状態を検出し、
前記起動デバイス設定手段は、前記検出手段が前記切替スイッチは前記第１状態であると検出した場合に、前記記憶手段が記憶する前記順番において１番目に読み込むと設定されている前記ポートに接続された前記記憶装置を前記起動デバイスとして設定し、前記検出手段が前記切替スイッチは前記第２状態であると検出した場合に、前記記憶手段が記憶する前記順番において２番目に読み込むと設定されている前記ポートに接続された前記記憶装置を前記起動デバイスとして設定すること、
を特徴とする請求項２に記載の電子機器。
【請求項４】
複数の記憶装置と、
前記記憶装置のそれぞれをシリアル接続する複数のポートと、
前記ポートにそれぞれ対応する複数の状態を切替える切替スイッチと、
前記複数のポートから前記各ポートに対応する前記記憶装置を読み込む順番を記憶する記憶手段と、
前記切替スイッチの状態を検出する検出手段と、
前記検出手段が検出した前記切替スイッチの状態に応じて、前記記憶手段が記憶する前記順番を書き換える書換手段と、
を備えたことを特徴とする電子機器。
【請求項５】
複数の記憶装置と、
前記記憶装置のそれぞれをシリアル接続する複数のポートと、
前記ポートにそれぞれ対応する複数の状態を切替える切替スイッチと、
を備えた電子機器において、コンピュータを、
前記切替スイッチの状態を検出する検出手段と、
前記検出手段が検出した前記切替スイッチの状態に応じて、前記複数のポートのうちいずれか１つを選択して、選択した前記ポートに接続された１つの前記記憶装置を起動デバイスとして設定する起動デバイス設定手段と、
して機能させるプログラム。
【請求項６】
複数の記憶装置と、
前記記憶装置のそれぞれをシリアル接続する複数のポートと、
前記ポートにそれぞれ対応する複数の状態を切替える切替スイッチと、
前記複数のポートから前記各ポートに対応する前記記憶装置を読み込む順番を記憶する記憶手段と、
を備えた電子機器において、コンピュータを、
前記切替スイッチの状態を検出する検出手段と、
前記検出手段が検出した前記切替スイッチの状態に応じて、前記記憶手段が記憶する前記順番を書き換える書換手段と、
して機能させるプログラム。
【発明の詳細な説明】
【技術分野】
【０００１】
本発明は、電子機器およびプログラムに関する。
【背景技術】
【０００２】
従来、スーパーマーケットや量販店において商品販売データの処理を行うＰＯＳ（Point  Of  Sales）端末においては、ＨＤＤ（Hard  Disk  Drive）が故障した際に迅速に対応するために２台のＨＤＤに同一のデータを格納し、故障時には故障したＨＤＤから正常なＨＤＤに切替えている。また、ＨＤＤの切替作業においては、ＢＩＯＳ（Basic  Input/Output  System）の設定画面を立ち上げて、当該設定画面において起動（ブート）時に読み込む起動デバイスの優先順位を変更する。すなわち、故障していないＨＤＤの起動順位を、故障したＨＤＤの起動順位よりも上位に設定することにより、正常なＨＤＤを優先的に読み込んでＯＳを起動することが可能となる。
【０００３】
ところが、営業時間内等にＨＤＤが故障し、急遽ＨＤＤの切替作業が必要となった場合に、ＢＩＯＳ設定操作に不慣れな店員が迅速に対応することは難しいという問題がある。
【０００４】
これに対して、特許文献１では、１つのＨＤＤポートに対して２つのＨＤＤをパラレル接続したパラレルＡＴＡ（ＰＡＴＡ）方式のＨＤＤにおいて、ジャンパースイッチを切替操作するだけで２台のＨＤＤを切替える技術が開示されている。
【発明の概要】
【発明が解決しようとする課題】
【０００５】
しかしながら近年では、転送速度の高速化のために、データをシリアル転送するシリアルＡＴＡ（ＳＡＴＡ）方式が広く用いられている。ＳＡＴＡ方式では、１つのＨＤＤポートに対して１つのＨＤＤがシリアル接続されるため、上述のようにジャンパースイッチ等でＨＤＤバスの切替を行うことは難しい。従って従来、ＨＤＤが故障した際にはサービスマンを呼んでＢＩＯＳ設定操作をすることにより、ＨＤＤの切替作業を行っていた。
【０００６】
本発明は、上記に鑑みてなされたものであって、ＢＩＯＳ設定作業に不慣れなユーザであっても、シリアル接続された起動デバイスを簡単に切替えることができる電子機器およびプログラムを提供することを目的とする。
【課題を解決するための手段】
【０００７】
上述した課題を解決し、目的を達成するために、本発明の電子機器は、複数の記憶装置と、前記記憶装置のそれぞれをシリアル接続する複数のポートと、前記ポートにそれぞれ対応する複数の状態を切替える切替スイッチと、前記切替スイッチの状態を検出する検出手段と、前記検出手段が検出した前記切替スイッチの状態に応じて、前記複数のポートのうちいずれか１つを選択して、選択した前記ポートに接続された１つの前記記憶装置を起動デバイスとして設定する起動デバイス設定手段と、を備えたことを特徴とする。
【０００８】
また、本発明の電子機器は、複数の記憶装置と、前記記憶装置のそれぞれをシリアル接続する複数のポートと、前記ポートにそれぞれ対応する複数の状態を切替える切替スイッチと、前記複数のポートから前記各ポートに対応する前記記憶装置を読み込む順番を記憶する記憶手段と、前記切替スイッチの状態を検出する検出手段と、前記検出手段が検出した前記切替スイッチの状態に応じて、前記記憶手段が記憶する前記順番を書き換える書換手段と、を備えたことを特徴とする。
【０００９】
また、本発明のプログラムは、複数の記憶装置と、前記記憶装置のそれぞれをシリアル接続する複数のポートと、前記ポートにそれぞれ対応する複数の状態を切替える切替スイッチと、を備えた電子機器において、コンピュータを、前記切替スイッチの状態を検出する検出手段と、前記検出手段が検出した前記切替スイッチの状態に応じて、前記複数のポートのうちいずれか１つを選択して、選択した前記ポートに接続された１つの前記記憶装置を起動デバイスとして設定する起動デバイス設定手段と、して機能させることを特徴とする。
【００１０】
また、本発明のプログラムは、複数の記憶装置と、前記記憶装置のそれぞれをシリアル接続する複数のポートと、前記ポートにそれぞれ対応する複数の状態を切替える切替スイッチと、前記複数のポートから前記各ポートに対応する前記記憶装置を読み込む順番を記憶する記憶手段と、を備えた電子機器において、コンピュータを、前記切替スイッチの状態を検出する検出手段と、前記検出手段が検出した前記切替スイッチの状態に応じて、前記記憶手段が記憶する前記順番を書き換える書換手段と、して機能させることを特徴とする。
【発明の効果】
【００１１】
本発明によれば、切替スイッチの状態に応じて複数のポートのいずれか１つを選択して、選択したポートに接続された１つの記憶装置を起動デバイスとして設定するので、ＢＩＯＳ設定画面での設定作業を行わずとも起動デバイスを切替えることが可能となり、ＢＩＯＳ設定作業に不慣れなユーザであっても、シリアル接続された起動デバイスを簡単に切替えることができるという効果を奏する。
【図面の簡単な説明】
【００１２】
【図１】図１は、本発明の第１の実施の形態にかかるＰＯＳ端末の外観斜視図である。
【図２】図２は、ＨＤＤ切替スイッチの概観図である。
【図３】図３は、ＰＯＳ端末の構成を示すブロック図である。
【図４】図４は、ＰＯＳ端末の機能的構成を示す機能ブロック図である。
【図５】図５は、ＯＳ起動処理の手順を説明するフローチャートである。
【図６】図６は、第２の実施の形態にかかるＰＯＳ端末の機能的構成を示す機能ブロック図である。
【図７】図７は、ＯＳ起動処理の手順を説明するフローチャートである。
【発明を実施するための形態】
【００１３】
以下に添付図面を参照して、この発明にかかる電子機器およびプログラムの最良な実施の形態を詳細に説明する。本実施の形態においては、スーパーマーケットや量販店において商品の販売登録処理を行うＰＯＳ端末に電子機器を適用する場合について説明する。また、本実施の形態にかかるプログラムは、当該ＰＯＳ端末において実行されるプログラムである。
【００１４】
（第１の実施の形態）
図１は、第１の実施の形態にかかるＰＯＳ端末１００の外観斜視図である。ＰＯＳ端末１００は、現金等を収容するためのドロワ１２の上に載置されており、このドロワ１２の引出し１２ａの開閉を制御する。ＰＯＳ端末１００の正面側には、登録、点検、精算、設定などの各種業務モードを選択するためのモードキー１４が設けられている。また、ＰＯＳ端末１００の正面に設けられたキーボード１３には、オペレータ（店員）が、例えば預かり金額などを置数するための置数キーや、１商取引として販売登録が行われた商品の合計出力を指示する小計キーなど、各種操作入力を行うための操作キーが配置されている。また、キーボード１３に近接する位置には、カードリーダ１１が設けられている。
【００１５】
また、ＰＯＳ端末１００には、商品に付与されたバーコードを読取るためのスキャナ１９が接続されている。さらに、ＰＯＳ端末１００には、正面側には店員用ディスプレイ１５が、背面側には客用ディスプレイ１６が取り付けられており、これらは販売登録された商品の品名、価格や、販売登録の終了が宣言された１商取引の合計金額、釣銭額などを表示するもので、液晶カラーディスプレイ等が用いられる。また、ＰＯＳ端末１００は、レシート、ジャーナルやクーポン等を印字するプリンタ１７を内蔵しており、プリンタ１７によって印字されたレシート等はＰＯＳ端末１００の正面側に形成されたレシート発行口１８から発行される。また、店員用ディスプレイ１５の外枠部には扉２０が設けてある。図２に示すように、扉２０を開くとディスプレイ１５の外枠部には、オン・オフの切替によってＨＤＤの切替をすることができるＨＤＤ切替スイッチ１０が設けられている。ここで切替スイッチ１０としては、図２に示すようなスライド式のスイッチとしたが、これに限定されず、ジャンパー式やロータリー式のスイッチでもよい。
【００１６】
図３は、ＰＯＳ端末１００の構成を示すブロック図である。ＰＯＳ端末１００は、ＣＰＵ（Central  Processing  Unit）２と、メモリ４と、ＲＡＭ（Random  Access  Memory）５と、表示コントローラ２５と、キーボードコントローラ２３と、プリンタコントローラ２７と、スキャナコントローラ２８と、リーダコントローラ２１と、チップセット６と、ＨＤＤコントローラ７と、通信Ｉ／Ｆ（インタフェース）２９とを備えており、これらがバス３により相互に接続されている。
【００１７】
メモリ４は、フラッシュメモリ（フラッシュＥＥＰＲＯＭ）など書換え可能な不揮発性メモリで構成される。メモリ４は、ＣＰＵ２が実行する各種プログラムや各種データ、ならびに、ＢＩＯＳ設定４１や本実施の形態にかかるプログラムを記憶する記憶手段として機能する。
【００１８】
ＢＩＯＳ設定４１は、起動デバイスの優先順位として、複数のＨＤＤを読み込む順番を記憶している。一例としてＢＩＯＳ設定４１は、ＨＤＤコントローラ７に接続された複数のＨＤＤのうち、ＨＤポート０に接続されたＨＤＤ９ａを１番目に読み込み、ＨＤポート１に接続されたＨＤＤ９ｂを２番目に読み込む旨を記憶している。
【００１９】
ＲＡＭ５は、ＣＰＵ２が各種プログラムを実行する際に一時的にデータやプログラムを記憶する。
【００２０】
ＣＰＵ２は、メモリ４が記憶する各種プログラムをＲＡＭ５に展開することでＰＯＳ端末１００の起動処理や、販売登録処理などを行い、ＰＯＳ端末１００のシステム全体を制御する制御手段として機能するものである。
【００２１】
表示コントローラ２５は、ＣＰＵ２から表示データが入力された場合に、当該表示データに基づいてディスプレイ１５、１６に表示を行う。
【００２２】
キーボードコントローラ２３は、ユーザのキーボード１３における入力操作に応じて操作ボタンやテンキーなどの入力を受付ける。
【００２３】
プリンタコントローラ２７は、ＣＰＵ２からレシート等の印刷データが入力された場合に、当該印刷データに基づいてプリンタ１７による印刷を行う。
【００２４】
スキャナコントローラ２８は、スキャナ１９によって商品に付されたバーコード等のコードシンボルがスキャンされた場合に、読み取ったコードシンボル情報の入力を受付ける。
【００２５】
リーダコントローラ２１は、カードリーダ１１によって読み取った磁気カードの情報の入力を受付ける。
【００２６】
通信Ｉ／Ｆ２９は、ＰＯＳ端末１００がＬＡＮ（Local  Area  Network）で接続されたストアサーバ（不図示）やインターネットで接続された店舗のサーバ等と相互に通信を行う場合に通信関連の制御を行う。
【００２７】
ＨＤＤ９ａ、９ｂは、ＣＰＵ２がＯＳを起動する場合に読み込むＯＳプログラムや、ＣＰＵ２が実行する各種プログラムを記憶している。ＰＯＳ端末１００は、一方のＨＤＤが故障しても他方のＨＤＤを稼動することが可能なＲＡＩＤ（Redundant  Array  of  Inexpensive  Disks）構成をとっており、ＨＤＤ９ａ、９ｂは同一のデータを格納する。
【００２８】
ＨＤＤコントローラ７は、ＳＡＴＡ方式のＨＤＤインタフェースであり、ＨＤポート０とＨＤポート１とを備えている。各ポートには、ＳＡＴＡ方式のバスを用いてＨＤＤを１台ずつシリアル接続することができる。本実施の形態では、図３に示すように、ＨＤポート０にＨＤＤ９ａが接続され、ＨＤポート１にＨＤＤ９ｂが接続されている。ＨＤＤコントローラ７は、ＣＰＵ２の制御により、ＨＤＤを読み込むＨＤＤポートを選択する。
【００２９】
入力電圧ＩＮには、ＰＯＳ端末１００に電力が供給された場合に電圧が供給される。
【００３０】
ＨＤＤ切替スイッチ１０は、図２で示したように、オン状態（第１状態）とオフ状態（第２状態）を切替えるスライド式の２値スイッチである。ＨＤＤ切替スイッチ１０がオン状態の場合には、入力電圧ＩＮが入力信号としてチップセット６に入力される。一方、ＨＤＤ切替スイッチ１０がオフ状態の場合には、入力電圧ＩＮはチップセット６に入力されない。
【００３１】
チップセット６は、ＨＤＤ切替スイッチ１０がオン状態の場合には、入力信号の値を１とし、ＨＤＤ切替スイッチ１０がオフ状態の場合には、入力信号の値を０として出力する。チップセット６は、これら入力信号の値をバス３を介してＣＰＵ２に入力する。
【００３２】
図４は、ＰＯＳ端末１００の機能的構成を示す機能ブロック図である。ＰＯＳ端末１００は、メモリ４に格納された本実施の形態にかかるプログラムをＣＰＵ２が読み出して実行することにより、検出部３１と、起動デバイス設定部３２と、起動部３３とを主記憶装置上にロードして生成する。
【００３３】
検出部３１は、ＨＤＤ切替スイッチ１０のオン状態、オフ状態を検出する。すなわち、検出部３１は、チップセット６において入力信号の値が１の場合には、ＨＤＤ切替スイッチ１０がオン状態であると検出し、入力信号の値が０の場合には、ＨＤＤ切替スイッチ１０がオフ状態であると検出する。
【００３４】
起動デバイス設定部３２は、検出部３１が検出したＨＤＤ切替スイッチ１０のオン・オフ状態と、ＢＩＯＳ設定４１が記憶する起動デバイスの優先順位とに応じて、ＨＤポート０に接続されたＨＤＤ９ａまたはＨＤポート１に接続されたＨＤＤ９ｂのいずれか１つを、ＯＳを起動する起動デバイスとして設定する。
【００３５】
即ち、起動デバイス設定部３２は、ＨＤＤ切替スイッチ１０がオンの場合には、ＢＩＯＳ設定４１が記憶する起動デバイスの優先順位に従って、優先順位が１番目であるＨＤポート０に接続されたＨＤＤ９ａを起動デバイスとして設定する。
【００３６】
また、起動デバイス設定部３２は、ＨＤＤ切替スイッチ１０がオフの場合には、ＢＩＯＳ設定４１が記憶する起動デバイスの優先順位に対して、優先順位の１番目と２番目とを入替えて、優先順位が２番目であるＨＤポート１に接続されていたＨＤＤ９ｂを起動デバイスとして設定する。
【００３７】
起動部３３は、起動デバイス設定部３２により起動デバイスとして設定されたＨＤＤからＯＳプログラムを読み込んでＯＳを起動する。
【００３８】
次に、本実施の形態にかかるＰＯＳ端末１００が行うＯＳ起動処理の手順について説明する。図５は、ＰＯＳ端末１００が行うＯＳ起動処理の手順を説明するフローチャートである。
【００３９】
ＰＯＳ端末１００において電源が投入されると、ＨＤＤ切替スイッチ１０に入力電圧ＩＮが入力され、ＨＤＤ切替スイッチ１０のオン・オフに応じてチップセット６に入力信号が入力される。検出部３１は、チップセット６の入力信号の値を検出し（ステップＳ１）、検出した入力信号の値が１か判定する（ステップＳ２）。
【００４０】
入力信号の値が１である場合（ステップＳ２：Ｙｅｓ）に、起動デバイス設定部３２はＢＩＯＳ設定４１に設定された起動デバイスの優先順位に従って、ＨＤポート０に接続されたＨＤＤ９ａを起動デバイスとして設定する（ステップＳ３）。一方、入力信号の値が０である場合（ステップＳ２：Ｎｏ）に、起動デバイス設定部３２はＢＩＯＳ設定４１で２番目の優先順位に設定されているＨＤポート１に接続されたＨＤＤ９ｂを起動デバイスとして設定する（ステップＳ４）。起動部３３はステップＳ３またはステップＳ４で起動デバイス設定部３２が設定した起動デバイスから、ＯＳプログラムを読み込んでＯＳを起動する（ステップＳ５）。
【００４１】
上述のように、ＰＯＳ端末１００は、ＨＤＤ切替スイッチ１０のオン・オフ状態に応じて起動デバイスを切替える。従って、ユーザはＢＩＯＳ設定画面での設定作業を行わずとも、ＨＤＤ切替スイッチ１０を切替えるだけでシリアル接続された起動デバイスを切り替えることができる。これにより、ＢＩＯＳ設定作業に不慣れなユーザであっても、ＯＳ起動時に読み込む起動デバイスを簡単に切替えることができるという効果を奏する。
【００４２】
（第２の実施の形態）
第２の実施の形態にかかるＰＯＳ端末２００の機能的構成を示すブロック図を図６に示す。第１の実施の形態と同じ構成については同じ符号を付してここでの説明を省略する。図６に示すように、ＰＯＳ端末２００は、ＨＤＤ切替スイッチ１０の切替に応じてＢＩＯＳ設定４１における起動デバイスの優先順位を書換える書換部３４を備える。
【００４３】
書換部３４は、検出部３１がＨＤＤ切替スイッチ１０がオフ状態となったことを検出した場合に、ＨＤポート１に接続されたＨＤＤ９ｂが１番目に読み込まれ、ＨＤポート０に接続されたＨＤＤ９ａが２番目に読み込まれるようにＢＩＯＳ設定４１を書き換える。
【００４４】
次に、本実施の形態にかかるＰＯＳ端末２００が行うＯＳ起動処理の手順について説明する。図７は、ＰＯＳ端末２００が行うＯＳ起動処理の手順を説明するフローチャートである。
【００４５】
ステップＳ１、Ｓ２は図５のステップＳ１、Ｓ２と同様である。ステップＳ２において、チップセット６の入力信号の値が１でない場合（ステップＳ２：Ｎｏ）に、書換部３４は、ＨＤポート１に接続されたＨＤＤ９ｂが１番目に読み込まれるように、ＢＩＯＳ設定４１における起動デバイスの優先順位を書き換える（ステップＳ６）。入力信号の値が１である場合（ステップＳ２：Ｙｅｓ）は、ステップＳ７に移行する。起動部３３は、ＢＩＯＳ設定４１が記憶する起動デバイスの優先順位に従って、優先順位が１番目であるＨＤＤ９ｂからＯＳプログラムを読み込んでＯＳを起動する（ステップＳ７）。
【００４６】
このようにすることで、ユーザはＨＤＤ切替スイッチ１０を切替えるだけで簡単にＢＩＯＳ設定４１を変更することができるため、ＢＩＯＳ設定画面での設定作業を行わずともＯＳ起動時に読み込むＨＤＤを簡単かつ迅速に切替えることができる。従って、ＢＩＯＳ設定作業に不慣れなユーザであっても、シリアル接続された起動デバイスを簡単に切替えることができるという効果を奏する。
【００４７】
尚、本実施形態のＰＯＳ端末１００、２００で実行されるプログラムを、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供するとしてもよい。
【００４８】
また、本実施形態のＰＯＳ端末１００、２００で実行されるプログラムを、インターネット等のネットワークに接続されたコンピュータ上に格納し、ネットワーク経由でダウンロードさせることにより提供するように構成しても良い。また、本実施形態のＰＯＳ端末１００，２００で実行されるプログラムをインターネット等のネットワーク経由で提供または配布するように構成しても良い。
【００４９】
尚、ＨＤＤ切替スイッチ１０は２値スイッチに限られるものではなく、切替えるＨＤＤの数に合わせて、３値以上のスイッチとしてもよい。これにより、３つ以上のＨＤＤを使用する場合においても、ＯＳ起動時に１番目に読み込むＨＤＤを簡単に選択できるという効果を奏する。
【産業上の利用可能性】
【００５０】
以上のように、本発明にかかる電子機器およびプログラムは、スーパーマーケットや量販店等で用いられるＰＯＳ端末に対して特に有用である。
【符号の説明】
【００５１】
１００、２００  ＰＯＳ端末
１０  ＨＤＤ切替スイッチ
１５  ディスプレイ
２０  扉
【先行技術文献】
【特許文献】
【００５２】
【特許文献１】特開２００２−２２９７４２公報
【図１】
2011133978.tif 000003
【図２】
2011133978.tif 000004
【図３】
2011133978.tif 000005
【図４】
2011133978.tif 000006
【図５】
2011133978.tif 000007
【図６】
2011133978.tif 000008
【図７】
2011133978.tif 000009